(57)【要約】      （修正有）【課題】剛体の構造体を持つ夏用枕であって、枕の硬さと高さをそれぞれ別個に簡便に調節ができて、その上、不使用の時には小さく折りたたんで、取り扱いに便利な夏用枕を得る。【解決手段】台板１の左右両端部上面に支板３と主板５、２本の軸２と軸４および１本の、主板５と台板１との回転中心の軸６、または曲率中心とによって、水平方向に見て、それぞれスコット・ラッセルの近似直線運動機構を形成する。主板５の下端に軸６によって枢着された底板１０の下面、または主板５の下端の接触曲面と台板１の上面にはそれぞれマジックテープ（登録商標）等の片側８、９を取りつけ、固定・解除自由にする。左右の主板５の上端の稜７の少なくとも片側の背面に、それぞれマジックテープ等の片側１１を取りつけ、これらの間に少なくともその片側にマジックテープ等の片側１２を取りつけた屈曲性に富み、充分な抗張力を持つ材料の張布１３を張り渡して夏用枕を形成する。【選択図】図１
2011056248.tif 000002
【特許請求の範囲】
【請求項１】
本発明は左右対称であるので主に左側について述べる。長方形、板状材、または小間隔
で平行な２平面を包絡面とする、枠状材（以下、単に板状材と記す）の台板１を水平に置
き、その上面に接近し、平行な水平面３０に長手方向の左端部に、その短手方向に軸２を
設け、長方形、板状材の支板３の下端と台板１の上面とを枢着する。支板３の上端に、軸
４を、軸２と同方向に設け、長方形、板状材の主板5の上端の稜7と下端部との中間とを枢
着する。主板5の下端部が台板1の上面に平行に、長手方向に動く時、両者の回転中心が軸
2を含む面内を動くように、長方形、板状材で、下面が台板1の上面に接触している底板10
と主板5の下端部とを軸4と同方向の軸6によって枢着するか、または、主板5の下端を、台
板1の上面と接触する曲面に形成し、その曲率中心を１6とする。各部の長さは線分２・４
：線分４・６（または線分４・１６）＝線分４・６（または線分４・１６）：線分４・７
として、スコット・ラッセルの近似直線運動機構を構成する。底板10の下面、または主板
5の下端部に形成した接触曲面と、これらに対応する台板1の上面には、それぞれマジック
テープ、または突起相互の、または突起と穴との、または突起と溝との噛合いによる固定
・解除自由にする機構（以下マジックテープ等と記す）の片側８，９を取りつけ、主板5
の下端部を台板1に固定・解除自由にする。このような構成を、台板1の右端部にも、全く
同様に左右対称に形成する。主板5の上端の稜7と、右側の対応する部分の背面の少なくと
も片側にマジックテープ等の片側１１を取りつける。屈曲性に富み、頭頸部を支えるに充
分な抗張力を有する材料の張布１３の少なくとも一端に、マジックテープ等の片側１２を
取りつけて、張り渡して成る枕。                    
【請求項２】
軸２，４，６の少なくともいずれか一箇所にセルフヒンジ部を持った部材を適用したこと
を特徴とする請求項１の枕。
【請求項３】
支板の両端にセルフヒンジ部、前記各セルフヒンジ部の先に他部材に取り付ける取付板を
有し、これ等を成形樹脂で一体成形した支板部材、主板の片端にセルフヒンジ部、前記セ
ルフヒンジ部の先には他部材に取り付ける取付板を有し、これ等を成形樹脂で一体成形し
た主板部材、こられ支板部材、主板部材の少なくともいずれか1つを適用したことを特徴
とする請求項１の枕。
【請求項４】
支板の一端にセルフヒンジ部を有し前記セルフヒンジ部の先に他部材に取り付ける取付板
を、主板の片端にセルフヒンジ部を有し前記セルフヒンジ部の先には他部材に取り付ける
取付板を、支板のセルフヒンジ部と反対側と主板の約中央部の接合部にセルフヒンジ部を
有し、これ等を成形樹脂で一体成形した部材を適用したことを特徴とする請求項１の枕。
【請求項５】
張布に取り付けるマジックテープはループ側とし、対応する相手側は鈎針もしくは針側と
したことを特徴とする請求項１、２、３、４いずれか１つに記載の枕。
【発明の詳細な説明】
【技術分野】
【０００１】
本発明は一般家庭で使用する夏用枕に関する。
【背景技術】
【０００２】
従来の、構造体を持つ高さ可変の夏用枕は、特許文献１、または特許文献２のように、棒
状材をX字状に組み合わせた構造で、その両端に屈曲性と抗張力をもつ布状材を張り渡し
たものであった。頭が当たる布状材の中央部は垂れさがるが、ここにX字の交点が来るの
で、布状材を強く張り、頭に棒状材が触れないようにしなければならず、軟らかくはでき
なかった。同じ理由で同部をあまり低くはできなかった。また高さを変えるためX字の交
角を変えると、布状材の張り硬さも変わってしまい、両者を個別に調節できない。不使用
時に折りたたむにしても、棒状材の２倍の厚さになり、かさばるものであった。
【先行技術文献】
【特許文献】
【０００３】
【特許文献１】実新登録  ３０３６４６２
【特許文献２】実新登録  ３０５４５２６
【特許文献３】実開        平03-004750
【特許文献４】実開        平04-125837
【特許文献５】特開        2005-066254
【特許文献６】特開        2007-068952
【非特許文献１】機械の素復刊委員会編  新編機械の素    理工学社１９６６年１０月３０日P８１
【発明の概要】
【発明が解決しようとする課題】
【０００４】
以上述べたように、従来の、構造体を有する夏用枕は、その硬軟も、その高さも、共に調
整できず、また使用が終わって収納する際にも折りたたむことができず、かさばって不便
であった。  
【０００５】
本発明はこのような従来の、構造体を持つ夏用枕の課題を解決し、硬さと高さを簡便に調
節でき、またコンパクトに折りたためる夏用枕を実現することを目的とする。
【課題を解決するための手段】
【０００６】
上記の目的を達成するため、床面に水平に置いた、長方形、板状の材、または小間隔の2
平行平面を包絡面とする枠状材（以下、単に板状材と記す。）台板の両端部に、それぞれ
長短２枚ずつの板状材と、それぞれ２本ずつの軸と1本ずつの回転中心によって、水平方
向に見て、非特許文献１に記載の、スコット・ラッセルの近似直線運動機構を形成し、斜
めになった長い板状材の下端が台板の上面に沿ってマジックテープ、または突起相互の、
または突起と穴、あるいは突起と溝の噛合わせ等による固定・解除機構（以下、マジック
テープ等と記す。）によって固定・解除自由に水平方向に動くと、上記、長い板状材の上
端は垂直方向に動き、左右の長い板状材上端間の距離は殆ど変わらない。この左右の長い
板状材の上端部に脱着自由に、マジックテープ等により張布を取りつけて夏用枕とする。
【発明の効果】
【０００７】
このような構造としたので、次のような効果がある。
【０００８】
枕の高さが簡便に調整できる。台板と左右の長い長方形・板状材の下端部との固定を解除
し台板の表面に沿って左右に移せば、それぞれの上端は垂直に上下し、張布も上下するの
で適当な所で、それぞれの下端部を再び固定すればよい。
【０００９】
枕の硬さを簡単に調整できる。張布は脱着自由に取り付けられているので、簡単に取り外
して、再び取りつけて張り強さを調整すればよい。
【００１０】
張布の下方には突出した構造物がないので、従来より涼しく、また従来より低くすること
ができる。張布の下方は大きな空間となって、風通しが良くて涼しく、また台板に、ほと
んど接触するほど低くすることもできる。
【００１１】
不使用時には極めて小さく折り畳めるので、取り扱いや収納に便利である。左右の長短の
長方形・板状材をそれぞれ寝かせて行けば、殆んど水平に近くなり、各板状材は重なり、
全体としても1枚の板状となって、極めてコンパクトな形になるので、取り扱いや収納に
まことに便利である。
【図面の簡単な説明】
【００１２】
【図１】本発明の実施形態を示す夏用枕の立面図
【図２】主板５の下端部の他の実施形態を示した部分立面図。
【図３】同夏用枕を折りたたんだ姿の立面図。
【図４】同夏用枕の左側部の斜視図。
【図５】セルフヒンジ部を持った部材
【図６】セルフヒンジ部を持った支板部材及び主板部材の組合せ図
【図７】セルフヒンジ部を持った支板主板一体成形部材
【図８】張布へのマジックテープ取付け図
【図９】スコットラッセル機構の説明図
【発明を実施するための形態】
【００１３】
始めに、図９を用いてスコットラッセル機構について説明する。図示のスコットラッセル
機構は、４つの点Ａ、Ｂ、Ｃ、Pとからなり、C、B、Pの各点は一直線上にある。AB：BC＝
BC：BPである。ここで、点Ａの位置は固定されており、点Ｃは水平方向に滑り運動する。
点Cの動く範囲を点Aの右側の範囲とすれば、点Pは点Cの動く水平方向に対して垂直な軸線
上をほぼ直線運動する。特別な場合として、ＡＢ＝ＢＣ＝ＢPである場合、点Pは点Ｃが水
平移動することにより常に垂直な軸線上を直線移動する。以上がスコット・ラッセル機構
の基本態様である。
以下、本発明の１実施例の形態を図1〜図４に基づいて説明する。本品は左右対称なので
、主に左端部について説明する。
【００１４】
長方形、板状材の台板１の短手方向において、中央部に指先が入る巾の、左右計2個の穴
、または、同様の巾で連続した隙間を設けて14とする。
【００１５】
長方形の台板1の左端部上面に接近して平行な平面として水平面30内に短手方向に軸2を設
け、支板3の下端と台板1の左端部上面とを枢着する。
【００１６】
軸2と同方向の軸4によって、主板5の中間部と支板3の上端とを枢着する。
【００１７】
水平面30内に軸2と同方向の軸6によって、主板5の下端と長方形、板状材の底板10とを枢
着するか、または主板5の下端部を曲面に形成し、その曲率中心を１６とし、水平面30と
一致させる。両者はともに主板5の台板1に対する回転中心となっている。
【００１８】
各部の長さは線分２・４：線分４・６（または線分４・１６）＝線分4・6（または線分４
・１６）：線分4・7の比率としてスコット・ラッセルの近似直線運動機構を構成する。本
発明の構成上、軸６は軸２を越えて左に動くことは無いので、稜７は近似直線上を垂直方
向に動く。全ての線分が等長の時は厳密直線運動をすることが知られている。
【００１９】
底板10の下面と、または主板5の下端部の曲面と、これに対応する台板1の上面とに、それ
ぞれマジックテープ等の片側8，9を取りつけ、固定・解除自由にする。
【００２０】
主板5の上端の稜７の背面にはマジックテープ等の片側11を取りつける。以上の構成を台
板1の右端部についても全く同様に、左右対称に施す。
【００２１】
主板5の上端の稜７と、これに対応する右端部の部分との間に、屈曲性に富み、充分な抗
張力を持つ材料でその両端にマジックテープ等の片側１２を取りつけた張布１３を張り渡
して、夏用枕とする。
【００２２】
このような構造にしたので、枕の高さを変更するには指先を台板1の穴、または隙間１４
を通して、底板10、または主板5の曲面部を押し上げて、マジックテープ等の固定を解除
し、水平面30に沿って移動させれば、主板5の上端の稜7は水平面30に対して垂直な垂直面
20に沿って上下するので、適当な高さで、前記のマジックテープ等を再び固定すればよい
。この時、枕の硬さ、即ち張り強さは変わらない。
【００２３】
本発明の請求項２の夏用枕は、軸２、４、６に成形樹脂からなる図５に例示するセルフヒ
ンジ部を有する部材２００を適用したものである。この部材２００はセルフヒンジ部２０
２の繰り返し折り曲げ寿命を長くするために、耐折り曲げ疲労性のある樹脂、例えばポリ
プロピレン（ＰＰ）が用いられる。台板１、支板３、主板５等への取り付けは、取付板２
０１を係合、ねじ止め、接着等、何でも良く、組立が容易な方法を選択すれば良い。また
、セルフヒンジ部を有する部材２００の適用は、軸2、軸４、軸６の任意の箇所に適用し
て良い。
【００２４】
本発明の請求項３の夏用枕を、図６を参照して説明する。支板３０５の両端にセルフヒン
ジ部３０２、３０４、前記各セルフヒンジ部の先に他部材に取り付ける取付板３０１，３
０３を有し、これ等を成形樹脂で一体成形して支板部材３００とする。主板５０７の片端
にセルフヒンジ部５０６、前記セルフヒンジ部の先には他部材に取り付ける取付板５０５
を有し、これ等を成形樹脂で一体成形して主板部材５００とする。各セルフヒンジ部３０
２，３０４、５０６は屈曲し易いように薄肉に成形し、繰り返し折り曲げ寿命を長くする
ために、耐折り曲げ疲労性のある樹脂、例えばポリプロピレン（ＰＰ）が用いられる。支
板部材３００、主板部材５００がそれぞれ１つの部品となり、支板部材３００と主板部材
５００の組み合わせは１箇所で、ヒンジ軸やヒンジ受けを取り付ける必要がなく、構造も
簡単であり、部品点数削減、組立性向上の効果と相俟って低コスト化できる。
図６では、支板部材３００、主板部材５００の両方適用した例を示しているが、何れか片
方のみを適用し他方は軸材等を適用しても良い。
支板部材３００の取付板３０１、３０３を台板１に、あるいは主板５０７に取り付ける手
段は、係合、ねじ止め、接着等、何でも良く、組立が容易な方法を選択すれば良い。
【００２５】
請求項４の一例を図７に示すが、支板６０３、主板６０７、セルフヒンジ部６０２、６０
４、６０６と他部材に取り付ける取付板６０１、６０５を耐折り曲げ疲労性のある樹脂で
一体に形成して主柱部材６００とすれば１つの部品となり、直いっそう部品点数削減、組
立性向上の要求を満たすことができる。各部の構造は、請求項３の支板部材３００や主板
部材５００等と同様である。
【００２６】
次に張布１３へのマジックテープ取り付け方法について図８を参照して説明する。張布１
３へのマジックテープは、マジックテープのループ側の座布１１８を取り付け、マジック
テープセットの他方の鈎針もしくは針側の座布は主板５、５０７、６０７等に取り付ける
。張布１３は頭を載せるので使用しているうちに汗、脂等で汚れる。このような時、張布
１３を洗濯する事になるが、洗濯機等で他の衣類と同時に洗濯する場合、マジックテープ
の鈎針側が張布１３に取り付けられていた場合、同時に洗濯する他の衣類を傷つけたり、
糸を解れさせたり、あるいは張布１３自体を傷める事になる。しかし、張布１３にマジッ
クテープのループ側の座布１１８を取り付けた場合、マジックテープのループ１１９には
他の衣類等を損傷する突起、鈎針、針等の形状を有していないので、他の衣類と同時に洗
濯しても傷つけることは無く、安心して洗濯をする事が出来る。
【００２７】
本発明の請求項３、４のセルフヒンジ部を有する支板部材３００、主板部材５００、支柱
部材６００は支板、主板、セルフヒンジ部、取付板等と一体成形したので、部品点数削減
、組立性向上の要求を満たすことができ、夏用枕を低コスト化できる。
【符号の説明】
【００２８】
１  台板    
２  軸
３  支板
４  軸
５  主板
６  軸
7    稜
８  マジックテープ等
９  マジックテープ等
１０  底板    
１１  マジックテープ等
１２  マジックテープ等
１３  張布    
１４  穴または隙間
１６  曲率中心
２０  垂直面
３０  水平面
１１８  マジックテープのループ側の座布
１１９  マジックテープのループ
２００  セルフヒンジ部を有する部材
２０１  取付板
２０２  セルフヒンジ部
３００  支板部材
３０１  取付板
３０２  セルフヒンジ部
３０３  取付板
３０４  セルフヒンジ部
３０５  支板
５００  主板部材
５０５  取付板
５０６  セルフヒンジ部
５０７  主板
６００  支柱部材
６０１  取付板
６０２  セルフヒンジ部
６０３  支板
６０４  セルフヒンジ部
６０５  取付板
６０６  セルフヒンジ部
６０７  主板
【図１】
2011056248.tif 000003
【図２】
2011056248.tif 000004
【図３】
2011056248.tif 000005
【図４】
2011056248.tif 000006
【図５】
2011056248.tif 000007
【図６】
2011056248.tif 000008
【図７】
2011056248.tif 000009
【図８】
2011056248.tif 000010
【図９】
2011056248.tif 000011
【手続補正書】
【提出日】平成22年12月14日(2010.12.14)
【手続補正１】
【補正対象書類名】特許請求の範囲
【補正対象項目名】請求項１
【補正方法】変更
【補正の内容】
【請求項１】
スコット・ラッセルの近似直線運動機構、台板、軸、張布、マジックテープ（登録商標）を有し、
前記スコット・ラッセルの近似直線運動機構は主板５、支板３、軸４、マジックテープ（登録商標）１１、８で構成され、主板５の中間点と支板３の上端を軸４で枢着し、主板５の上端は張布１３と固定・解除を自由にする一対のマジックテープ（登録商標）の片側１1を取付け、
主板５の下端は台板１の上面と平行になるように底板１０を軸６により枢着し、底板１０の下面に台板１と固定・解除を自由にする一対のマジックテープ（登録商標）の片側８を取付け、
または、主板５の下端を曲面に形成し、台板１と固定・解除を自由にする一対のマジックテープ（登録商標）の片側８を取付け
前記台板１は、その上面に前記主板５の下端部に取付けたマジックテープ（登録商標）8の相手方となるマジックテープ（登録商標）9を取付け、
前記台板１の左右の端部と前記支板３の下端は軸２で枢着し、
前記張布１３はその両端に前記主板５の上端に取付けたマジックテープ（登録商標）１1の相手方となるマジックテープ（登録商標）１2を取付け、主板５の上端間に張り渡して
なる左右対称で高さ調整可能な枕。
【手続補正２】
【補正対象書類名】特許請求の範囲
【補正対象項目名】請求項３
【補正方法】変更
【補正の内容】
【請求項３】
支板の両端にセルフヒンジ部、前記各セルフヒンジ部の先に他部材に取り付ける取付板を有し、これ等を成形樹脂で一体成形した支板部材、主板の片端にセルフヒンジ部、前記セルフヒンジ部の先には他部材に取り付ける取付板を有し、これ等を成形樹脂で一体成形した主板部材、これ等支板部材、主板部材の少なくともいずれか1つを適用したことを特徴とする請求項１の枕。
【手続補正３】
【補正対象書類名】明細書
【補正対象項目名】０００６
【補正方法】変更
【補正の内容】
【０００６】
上記の目的を達成するため、床面に水平に置いた、板状材、または小間隔の２平行平面を包絡面とする枠状材（以下、単に板状材と記す。）台板の両端部に、それぞれ長短２枚の板状材と、それぞれ２本の軸と１つの回転中心によって、水平方向に見て、非特許文献１に記載の、スコット・ラッセルの近似直線運動機構を形成し、斜めになった長い板状材の下端が台板の上面に沿ってマジックテープ（登録商標）の噛合わせによって固定・解除自由に水平方向に動くと、上記、長い板状材の上端は垂直方向に動き、左右の長い板状材上端間の距離は殆ど変わらない。この左右の長い板状材の上端部に脱着自由に、マジックテープ（登録商標）により張布を取付けて夏用枕とする。前記長い板状材の下端と台板上面の固定・解除を自由にするマジックテープ（登録商標）の代わりに突起相互の、または突起と穴、あるいは突起と溝の噛合わせ等による固定・解除機構を用いてもよい。
【手続補正４】
【補正対象書類名】明細書
【補正対象項目名】００１５
【補正方法】変更
【補正の内容】
【００１５】
長方形の台板１の左端部上面の短手方向に軸２を設け、支板３の下端と枢着する。
【手続補正５】
【補正対象書類名】明細書
【補正対象項目名】００１７
【補正方法】変更
【補正の内容】
【００１７】
軸２の中心を通り台板１の上面と平行に引いた直線と、稜７と軸４の中心を結んだ延長線上の交点を曲率中心１６とする曲面を主板５の下端部に形成する。曲率中心１６は主板５が台板１の上面を水平に移動するときの台板１に対する回転中心となっている。
主板５の下端部に出っ張りを設けることなく板厚の範囲内に曲面を設けるだけでもよい。
【手続補正６】
【補正対象書類名】明細書
【補正対象項目名】００１９
【補正方法】変更
【補正の内容】
【００１９】
底板１０の下面と、または主板５の下端部の曲面と、これに対応する台板１の上面とに、それぞれ一対のマジックテープ（登録商標）の片側８，９を取付け、固定・解除自由にする。
【手続補正７】
【補正対象書類名】明細書
【補正対象項目名】００２０
【補正方法】変更
【補正の内容】
【００２０】
主板５の上端の稜７の背面にはマジックテープ（登録商標）の片側１１を取付ける。以上の構成を台板１の右端部についても全く同様に、左右対称に施す。
【手続補正８】
【補正対象書類名】明細書
【補正対象項目名】００２１
【補正方法】変更
【補正の内容】
【００２１】
左右の主板５の上端の稜７間に、屈曲性に富み、十分な抗張力を持つ材料で、その両端にマジックテープ（登録商標）の片側１２を取付けた張布１３を張り渡して、夏用枕とする。稜７の背面のマジックテープ（登録商標）の片側１１と張布１３に取付けたマジックテープ（登録商標）の片側１２は対を成すものである。
【手続補正９】
【補正対象書類名】明細書
【補正対象項目名】００２２
【補正方法】変更
【補正の内容】
【００２２】
このような構造にしたので、枕の高さを変更するには指先を台板１の穴または隙間１４を通して、底板１０、または主板５の曲面部を押し上げて、マジックテープ（登録商標）の固定を解除し、台板１の上面に沿って移動させれば、主板５の上端の稜７は台板１の上面に対して垂直に上下するので、適当な高さで、前記マジックテープ（登録商標）を再び固定すればよい。この時、枕の硬さ、即ち貼り強さは変わらない。
【手続補正１０】
【補正対象書類名】明細書
【補正対象項目名】００２５
【補正方法】変更
【補正の内容】
【００２５】
請求項４の一例を図７に示すが、支板６０３、主板６０７、セルフヒンジ部６０２、６０４、６０６と他部材に取り付ける取付板６０１、６０５を耐折り曲げ疲労性のある樹脂で一体に形成して支柱部材６００とすれば１つの部品となり、直いっそう部品点数削減、組立性向上の要求を満たすことができる。各部の構造は、請求項３の支板部材３００や主板部材５００等と同様である。
【手続補正１１】
【補正対象書類名】明細書
【補正対象項目名】００２８
【補正方法】変更
【補正の内容】
【００２８】
１  台板    
２  軸
３  支板
４  軸
５  主板
６  軸
7  稜
８  マジックテープ（登録商標）
９  マジックテープ（登録商標）
１０  底板
１１  マジックテープ（登録商標）
１２  マジックテープ（登録商標）
１３  張布    
１４  穴または隙間
１６  曲率中心
１１８  マジックテープ（登録商標）のループ側の座布
１１９  マジックテープ（登録商標）のループ
２００  セルフヒンジ部を有する部材
２０１  取付板
２０２  セルフヒンジ部
３００  支板部材
３０１  取付板
３０２  セルフヒンジ部
３０３  取付板
３０４  セルフヒンジ部
３０５  支板
５００  主板部材
５０５  取付板
５０６  セルフヒンジ部
５０７  主板
６００  支柱部材
６０１  取付板
６０２  セルフヒンジ部
６０３  支板
６０４  セルフヒンジ部
６０５  取付板
６０６  セルフヒンジ部
６０７  主板
【手続補正１２】
【補正対象書類名】図面
【補正対象項目名】図１
【補正方法】変更
【補正の内容】
【図１】
2011056248.tif 000012
【手続補正１３】
【補正対象書類名】図面
【補正対象項目名】図３
【補正方法】変更
【補正の内容】
【図３】
2011056248.tif 000013